(57)【要約】【課題】撮影情報を用いて撮影条件（設定条件）を決定する際、ユーザーの意図しない画像が生成されることを低減する。【解決手段】カメラ１００は、被写体を撮影して画像を生成する際、画像を生成するための設定条件に応じて画像を生成して当該画像を記録媒体２００に記録する。システム制御部５０は被写体を撮影した際の設定条件をリストとして記録し、記録媒体から画像を再生処理する際にユーザー操作に応じてリストに記録された設定条件に関する評価値を更新する。そして、システム制御部は評価値に基づいて撮影の際の設定条件を変更して画像を生成する。【選択図】図７
2017192020.tif 000002
【特許請求の範囲】
【請求項１】
画像を撮影する撮像手段と、
前記撮像手段により撮影された画像に対して実行する複数の画像処理の設定条件を決定する制御手段と、
前記撮像手段により撮影した画像に対して、前記制御手段により決定された複数の設定条件に基づいて画像処理を実行することにより、複数の画像を取得する画像処理手段と、
画像を再生処理する際のユーザー操作に応じて、前記設定条件を評価する評価手段と、を有し、
前記制御手段は、前記評価手段による前記設定条件の評価に基づいて前記設定条件を決定することを特徴とする撮像装置。
【請求項２】
前記画像は画像ファイルとして前記記録媒体に記録され、
前記画像ファイルのヘッダ情報として前記設定条件が記録されていることを特徴とする請求項１に記載の撮像装置。
【請求項３】
前記設定条件は前記画像を識別するインデックスとともにリストとして記録されていることを特徴とする請求項１又は２に記載の撮像装置。
【請求項４】
前記制御手段は、１回の撮影指示に応じて複数の撮影を行って得られた画像のうち少なくとも１枚について、前記評価手段による前記設定条件の評価に基づいて前記設定条件を変更することを特徴とする請求項１乃至３のいずれか１項に記載の撮像装置。
【請求項５】
前記ユーザー操作は、前記画像に対するお気に入りの付与、前記画像の転送操作、前記画像の編集操作、および前記画像の削除操作の少なくとも１つであることを特徴とする請求項１乃至４のいずれか１項に記載の撮像装置。
【請求項６】
前記評価手段は、前記お気に入りの付与、前記転送操作、および前記編集操作が行われると前記設定条件の評価値を加点し、前記削除操作が行われると前記設定条件の評価値を減点することを特徴とする請求項５に記載の撮像装置。
【請求項７】
前記設定条件の評価値して第１の評価値および第２の評価値が備えられており、
前記評価手段は、前記お気に入りの付与、前記転送操作、および前記編集操作が行われると前記第１の評価値を更新し、前記削除操作が行われると前記第２の評価値を更新することを特徴とする請求項５に記載の撮像装置。
【請求項８】
画像を撮影する撮像手段を備える撮像装置の制御方法であって、
前記撮像手段により撮影された画像に対して実行する複数の画像処理の設定条件を決定する制御ステップと、
前記撮像手段により撮影した画像に対して、前記制御ステップで決定された複数の設定条件に基づいて画像処理を実行することにより、複数の画像を取得する画像処理ステップと、
画像を再生処理する際のユーザー操作に応じて、前記設定条件を評価する評価ステップと、を有し、
前記制御ステップでは、前記評価ステップによる前記設定条件の評価に基づいて前記設定条件を決定することを特徴とする制御方法。
【請求項９】
画像を撮影する撮像手段を備える撮像装置で用いられる制御プログラムであって、
前記撮像装置が備えるコンピュータに、
前記撮像手段により撮影された画像に対して実行する複数の画像処理の設定条件を決定する制御ステップと、
前記撮像手段により撮影した画像に対して、前記制御ステップで決定された複数の設定条件に基づいて画像処理を実行することにより、複数の画像を取得する画像処理ステップと、
画像を再生処理する際のユーザー操作に応じて、前記設定条件を評価する評価ステップと、を実行させ、
前記制御ステップでは、前記評価ステップによる前記設定条件の評価に基づいて前記設定条件を決定することを特徴とする制御プログラム。
【発明の詳細な説明】
【技術分野】
【０００１】
本発明は、予め撮影条件を指定する所謂シーンプログラム撮影を行うデジタルカメラなどの撮像装置、その制御方法、および制御プログラムに関する。
【背景技術】
【０００２】
近年、デジタルカメラ（以下単にカメラと呼ぶ）などの撮像装置では、撮影日時、画像サイズ、露出条件などの撮影情報を画像データとともに記録するようにしたものがある。この場合、撮影情報はＥｘｉｆ（Ｅｘｃｈａｎｇ  ｅａｂｌｅ  ｉｍａｇｅ  ｆｉｌｅ  ｆｏｒｍａｔ）ヘッダなどに記録される。そして、ユーザーは、当該撮影情報を用いて複数の画像データから所望の画像データを検索し、新たな撮影の際に撮影条件の設定に活用するようにしたものがある（特許文献１参照）。
【０００３】
特許文献１に記載のカメラでは、ユーザーが特徴データの記録を行った期間における画像データを撮影履歴データに記録して、撮影の際に被写体から抽出された特徴量と撮影履歴データの双方に基づいて撮影条件を決定するようにしている。
【先行技術文献】
【特許文献】
【０００４】
【特許文献１】特開２００７−２７４１９５号公報
【発明の開示】
【発明が解決しようとする課題】
【０００５】
特許文献１においては、撮影履歴データの記録の際、撮影の結果得られた全ての画像データから撮影履歴データを抽出している。このため、ユーザーが意図しない撮影条件が含まれた撮影履歴データが抽出されてしまうことがある。この結果、撮影履歴データを用いて撮影条件を決定する場合に、ユーザーの意図しない画像が撮影されてしまうことがある。
【０００６】
従って、本発明の目的は、撮影情報を用いて撮影条件を決定する際、ユーザーの意図しない画像が生成されることを低減することのできる撮像装置、その制御方法、および制御プログラムを提供することにある。
【課題を解決するための手段】
【０００７】
上記の目的を達成するため、本発明による撮像装置は、画像を撮影する撮像手段と、前記撮像手段により撮影された画像に対して実行する複数の画像処理の設定条件を決定する制御手段と、前記撮像手段により撮影した画像に対して、前記制御手段により決定された複数の設定条件に基づいて画像処理を実行することにより、複数の画像を取得する画像処理手段と、画像を再生処理する際のユーザー操作に応じて、前記設定条件を評価する評価手段と、を有し、前記制御手段は、前記評価手段による前記設定条件の評価に基づいて前記設定条件を決定することを特徴とする。
【発明の効果】
【０００８】
本発明によれば、撮影情報を用いて撮影条件（設定条件）を決定する際、ユーザーの意図しない画像が生成されることを低減することができる。
【図面の簡単な説明】
【０００９】
【図１】本発明の第１の実施形態による撮像装置の一例についてその構成を示すブロック図である。
【図２】図１に示すカメラで用いられるお気に入り効果リストの一例を説明するための図であり、（ａ）は第１の例を示す図、（ｂ）は第２の例を示す図、（ｃ）は第３の例を示す図である。
【図３】図１に示すカメラで行われるクリエイティブモード処理を説明するためのフローチャートである。
【図４】図３に示すシングルショット画像処理を説明するためのフローチャートである。
【図５】図１に示すカメラで行われる再生モード処理を説明するためのフローチャートである。
【図６Ａ】図１に示すカメラで行われる再生入力待ち状態のなった際の処理（再生入力待ち処理）を説明するためのフローチャートである（その１）。
【図６Ｂ】図１に示すカメラで行われる再生入力待ち状態のなった際の処理（再生入力待ち処理）を説明するためのフローチャートである（その２）。
【図７】図６Ｂに示すお気に入り効果リスト加点更新処理を説明するためのフローチャートである。
【図８】図６Ｂに示すお気に入り効果リスト減点処理を説明するためのフローチャートである。
【図９】本発明の第２の実施形態によるカメラで行われるマルチクリエイティブモード処理を説明するためのフローチャートである。
【図１０】図９に示すマルチショット撮影処理を説明するためのフローチャートである。
【図１１】本発明の第３の実施形態で用いられるお気に入り効果リストの一例を示す図である。
【図１２】本発明の第３の実施形態によるカメラで行われるマルチショットモード処理を説明するためのフローチャートである。
【図１３】本発明のお気に入り効果リスト減点処理の第２の実施例のフローチャートである。
【発明を実施するための形態】
【００１０】
以下に、本発明の実施の形態による撮像装置の一例について図面を参照して説明する。
【００１１】
［第１の実施形態］
図１は、本発明の第１の実施形態による撮像装置の一例についてその構成を示すブロック図である。
【００１２】
図示の撮像装置は、例えば、デジタルカメラ（以下単にカメラと呼ぶ）であり、撮影レンズユニット（以下単に撮影レンズと呼ぶ）１０３を備えている。そして、撮影レンズ１０３には、少なくともズームレンズおよびフォーカスレンズが備えられている。
【００１３】
撮影レンズ１０３の後段には絞り機能を備えるシャッター１０１が配置されている。そして、シャッター１０１の後側には、光学像（被写体像）を電気信号（アナログ信号）に変換するＣＣＤ又はＣＭＯＳセンサなどの撮像素子を有する撮像部２２が配置されている。撮像部２２の出力であるアナログ信号はＡ／Ｄ変換器２３によってデジタル信号（画像データ）に変換される。
【００１４】
なお、撮影レンズ１０３の前面側にはバリア１０２が配置されており、このバリア１０２は撮影レンズ１０３、シャッター１０１、および撮像部２２などの撮像系を覆って、その汚れおよび破損を防止するためのものである。
【００１５】
画像処理部２４は、Ａ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。
【００１６】
システム制御部５０は、画像処理部２４による所定の演算処理によって得られた演算結果に基づいて露光制御および測距制御を行う。これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００１７】
さらに、画像処理部２４は撮像の結果得られた画像データを用いて所定の演算処理を行って、当該演算結果に基づいてＴＴＬ方式のＡＷＢ（オートホワイトバランス）処理を行う。
【００１８】
Ａ／Ｄ変換器２３からの出力である画像データは、画像処理部２４およびメモリ制御部１５を介して、或いは直接メモリ制御部１５を介して、メモリ３２に書き込まれる。このメモリ３２は、所定枚数の静止画像又は所定時間の動画像および音声を格納するための十分な記憶容量を備えている。
【００１９】
図示のメモリ３２は画像表示用のメモリ（ビデオメモリ）を兼ねており、メモリ３２に書き込まれた表示用の画像データはＤ／Ａ変換器１３を介して画像表示部２８に与えられて、画像として表示される。
【００２０】
画像表示部２８は、例えば、ＬＣＤである。また、メモリ３２に蓄積された画像データをＤ／Ａ変換器１３においてＤ／Ａ変換して画像表示部２８に逐次転送して表示すれば、画像表示部２８は電子ビューファインダとして機能しスルー画像表示（ライブビュー表示）を行うことができる。なお、画像表示部２８は操作部７０７に備えられたタッチパネル７１７と一体的に構成される。
【００２１】
システム制御部５０はカメラ１００全体の制御を司る。不揮発性メモリ５６は、電気的に消去・記録可能なメモリであって、例えば、ＥＥＰＲＯＭが用いられる。不揮発性メモリ５６にはシステム制御部５０の動作用の定数、変数、およびプログラムなどが格納されている。このプログラムには、後述する各種フローチャートを実行するためのプログラムが含まれる。
【００２２】
システムメモリ５２は、例えば、ＲＡＭであり、システム制御部５０は不揮発性メモリ５６から動作用の定数、変数、およびプログラムなどを読み出して、システムメモリ５２に展開する。
【００２３】
なお、メモリ３２に書き込まれた画像データは、システム制御部５０においてファイル化されて、記録媒体インターフェース（Ｉ／Ｆ）１８を介して記録媒体２００に記録される。この際には、圧縮／伸張部１６によって画像データが圧縮処理される。記録媒体２００から画像ファイルを読み出す際には、圧縮／伸張部１６によって伸張処理が行われる。また、システム制御部５０は、メモリ３２、Ｄ／Ａ変換器１３、および表示部２８などを制御することによって表示制御を行う。
【００２４】
システム制御部５０にはシステムタイマー（ＲＴＣ）４０が接続されており、ＲＴＣ４０はシステム制御部５０による各種制御で用いる時間を計測してシステム制御部５０に与える。さらに、システム制御部５０には記録媒体着脱検知部９８が接続されており、システム制御部５０は記録媒体着脱検知部９８によってカメラ１００に対する記録媒体２００の着脱を検知する。
【００２５】
前述のモード切り替えスイッチ６０は、例えば、システム制御部５０の動作モードを静止画記録モード、動画記録モード、および再生モードなどのいずれかに切り替えるためのスイッチである。
【００２６】
上記の静止画記録モードには、例えば、オート撮影モード、オートシーン判別モード、マニュアルモード、撮影シーン別の撮影設定となる各種シーンモード、プログラムＡＥモード、およびカスタムモードがある。モード切り替えスイッチ６０を用いれば、これらのモードのいずれかに直接切り替えることができる。
【００２７】
また、モード切り替えスイッチ６０によって静止画記録モードに一旦切り替えた後、上記のモードのいずれかに操作部７０などを用いて切り替えるようにしてもよい。同様に、動画記録モードにも複数のモードが含まれている。
【００２８】
シャッター操作部６１が操作途中（半押し：撮影準備指示）であると、第１のシャッタースイッチ（図示せず）がオンとなって、第１のシャッタースイッチ信号ＳＷ１がシステム制御部５０に与えられる。これによって、システム制御部５０はＡＦ（オートフォーカス）処理、ＡＥ（自動露出）処理、ＡＷＢ（オートホワイトバランス）処理、およびＥＦ（フラッシュプリ発光）処理などの撮影準備動作を開始する。
【００２９】
シャッター操作部６１が操作完了（全押し）になると、第２のシャッタースイッチ（図示せず）がオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００３０】
画像表示部２８に表示される種々の機能アイコンを選択操作すると、場面（撮影シーン）毎に適宜機能が割り当てられて、操作部７０は各種機能ボタンとして作用する。機能ボタンとして、例えば、終了ボタン、戻るボタン、画像送りボタン、ジャンプボタン、絞込みボタン、および属性変更ボタンがある。
【００３１】
操作部７０においてメニューボタンが操作されると、システム制御部５０は各種設定を行うためのメニュー画面を画像表示部２８に表示する。ユーザーは画像表示部２８に表示されたメニュー画面を見て、上下左右の４方向キーおよびＳＥＴボタンを用いて直感的に各種設定を行うことができる。
【００３２】
電源制御部８０は電池検出回路、ＤＣ−ＤＣコンバータ、および通電するブロックを切り替えるスイッチ回路などを備えている。そして、電源制御部８０は電池の装着の有無、電池の種類、および電池残量の検出を行う。また、電源制御部８０は上記の検出結果およびシステム制御部５０の指示に基づいてＤＣ−ＤＣコンバータを制御して、所定の電圧を必要な期間の間、記録媒体２００を含むカメラ１００の各部に供給する。
【００３３】
電源制御部８０には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００３４】
記録媒体Ｉ／Ｆ１８は、メモリカード又はハードディスクなどの記録媒体２００とのインターフェースであり、記録媒体２００には撮影の結果得られた画像データが記録される。この記録媒体２００は、例えば、半導体メモリ又は磁気ディスクから構成される。
【００３５】
図示のように、操作部７０には、画像表示部２８に対するタッチ操作を検知するタッチパネル７１が備えられている。そして、タッチパネル７１は、前述のように、画像表示部２８と一体的に構成される。例えば、光の透過率が画像表示部２８の表示を妨げないようにタッチパネル７１を構成して、画像表示部２８の表示面に取り付ける。そして、タッチパネル７１における入力座標と画像表示部２８の表示座標とを対応づける。
【００３６】
これによって、恰もユーザーが画像表示部２８に表示された画面を直接的に操作可能であるかのようにＧＵＩ（グラフィカルユーザーインターフェース）を構成することができる。システム制御部５０はタッチパネル７１に対する以下の操作又は状態を検出することができる。
【００３７】
タッチパネル７１を指又はペンで触れたこと（以下タッチダウン（Ｔｏｕｃｈ−Ｄｏｗｎ）という）。タッチパネル７１を指又はペンで触れている状態であること（以下タッチオン（Ｔｏｕｃｈ−Ｏｎ）という）。タッチパネル７１を指又はペンで触れた状態で指又はペンを移動すること（以下、タッチムーブ（Ｔｏｕｃｈ−Ｍｏｖｅ）という）。タッチパネル７１に触れていた指又はペンを離したこと（以下タッチアップ（Ｔｏｕｃｈ−Ｕｐ）という）。タッチパネル７１に何も触れていない状態（以下、タッチオフ（Ｔｏｕｃｈ−Ｏｆｆ）という）。
【００３８】
これらの操作又は状態、そして、タッチパネル７１に指又はペンが触れている位置座標は内部バスを通じてシステム制御部５０にタッチ位置情報として通知される。そして、システム制御部５０はタッチ位置情報に基づいてタッチパネル７１でどのような操作が行なわれたかを判定する。
【００３９】
タッチムーブについてはタッチパネル７１上で移動する指又はペンの移動方向について、システム制御部５０は位置座標の変化に基づいてタッチパネル７１の垂直成分および水平成分毎に判定することができる。また、タッチダウンから一定のタッチムーブを経てタッチアップをした際、これをストロークを描いたことする。素早くストロークを描く操作をフリックと呼ぶ。
【００４０】
フリックはタッチパネル７１に指を触れた状態である程度の距離だけ素早く動かして、そのまま離すという操作である。言い換えると、フリックはタッチパネル７１を指ではじくように素早くなぞる操作である。
【００４１】
所定の距離以上を、所定の速度以上でタッチムーブしたことを検出し、そのままタッチアップを検出すると、システム制御部５０はフリックが行なわれたと判定することができる。また、所定の距離以上を、所定の速度未満でタッチムーブしたことが検出されると、システム制御部５０はドラッグが行なわれたと判定する。
【００４２】
タッチパネル７１には、抵抗膜方式、静電容量方式、表面弾性波方式、赤外線方式、電磁誘導方式、画像認識方式、又は光センサ方式などののうちいずれの方式のものが用いられる。
【００４３】
図示のカメラ１００においては、所謂クリエイティブモードおよびマルチクリエイティブモードによる撮影を行うことができる。これらのモードは静止画撮影モードの１つとして備えられた撮影モードである。モード切替スイッチ６０の操作によって、静止画撮影モードの１つとしてクリエイティブモード又はマルチクリエイティブモードに切り替えることができる。
【００４４】
クリエイティブモードにおいては、システム制御部５０は１回のシャッター操作部６１の全押し操作に応じて１回の撮影を行う。そして、システム制御部５０は撮影シーンの解析結果に応じて撮影方法を変える。例えば、システム制御部５０は撮影の結果得られたＲＡＷ画像を解析する。そして、システム制御部５０はその解析結果に応じてぼかし処理、色フィルター処理、およびトリミングなどの画像処理を組み合わせて行って画像を生成する。
【００４５】
一方、マルチクリエイティブモードにおいては、システム制御部５０は１回のシャッター操作部６１の全押し操作に応じて、露出およびフォーカス位置を変えて３回の撮影を行って、３枚のＲＡＷ画像をメモリ３２に記録する。そして、システム制御部５０は撮影後の後処理において３枚のＲＡＷ画像から最終的に６枚の画像を生成して記録媒体２００に保存する。
【００４６】
３回の撮影を行う際には、露出値が異なるパターンで３回撮影するか又はピント位置を変えて３回撮影するなどがある。ここでも、撮影シーンの解析結果に応じて、システム制御部５０は撮影方法を変える。
【００４７】
また、後処理において６枚の画像を生成する際には、システム制御部５０は３枚のＲＡＷ画像のうちの任意の画像についてぼかし処理、色フィルター処理、およびトリミングなどの画像処理を組み合わせて行う。これによって、システム制御部５０最終的に６枚の画像を生成する。これら６枚の画像は、短い期間で同一の被写体を撮影した画像であるにも拘わらず、構図、色、および明るさ、そして、ピントなどの組み合わせが異なるバリエーション豊かな画像となる。
【００４８】
上述の撮影モードを用いることによって、カメラの操作に詳しくないユーザー又は構図の設定に詳しくないユーザーであっても、同一の被写体について互いに雰囲気が異なり、かつ面白みのある画像を撮影することができる。
【００４９】
ところで、図示はしないが、シャッター操作部６１は撮影レンズ１０３光軸と垂直な方向にスライド操作を行うことができる。そして、シャッター操作部６１は上下の方向に半押し操作および全押し操作が可能である。
【００５０】
例えば、スライド方向の下側の中間位置までスライドさせて押し込めば、シャッター操作部６１を半押し状態とすることができる。さらに、下側にスライドさせて押し込めば、シャッター操作部６１を全押し状態とすることができる。なお、上側においても同様に半押しと全押しが可能である。
【００５１】
シャッター操作部６１に触れていない状態では、シャッター操作部６１は上下方向のいずれにおいても半押し状態および全押し状態とはならない中間位置に復帰する。また、シャッター操作部６１は撮影レンズ１０３の光軸周りに回転操作することができる。回転操作することによってズームレンズを駆動させる光学ズームおよび電子ズームを行うことができる。つまり、シャッター操作部６１は撮影を指示する機能とともに、所謂ズームレバーの機能を兼ねて備えている。なお、電源スイッチ７２は、電源をオン又はオフを切り替えるための押しボタンである。
【００５２】
＜お気に入り効果リスト＞
図２は、図１に示すカメラで用いられるお気に入り効果リストの一例を説明するための図である。そして、図２（ａ）は第１の例を示す図であり、図２（ｂ）は第２の例を示す図である。また、図２（ｃ）は第３の例を示す図である。
【００５３】
お気に入り効果リスト２０１は、例えば、記録媒体２００に記録される。図２（ａ）に示すように、当該リスト２０１は各項目の要素数を示すＩｎｄｅｘ（インデックス：Ｎｏ．）２０２、被写体特徴量２０３、画像処理効果２０４、および評価値２０５を有している。被写体特徴量２０２には、撮影の際の被写体の特徴量を示す属性情報が記録される。図示の例では、撮影距離や被写体における人物の有無が属性情報とされているが、その他の被写体特徴を示す情報を記録するようにしてもよい。
【００５４】
画像処理効果２０４には、撮影によって得られた画像に用いた画像処理効果（設定条件）が記録される。図示の例では、トリミング処理又はセピア風の色処理などが画像処理効果として記録される。
【００５５】
評価値２０５には、画像処理効果に対するユーザーの評価が記録される。後述するように、被写体特徴量２０３および画像処理効果２０４に一致する画像に対してユーザーがお気に入り又は画像転送操作を行うと評価値は加点される。一方、ユーザーが削除操作を行うと評価値が減点される。
【００５６】
図２（ｂ）および図２（ｃ）に示す評価値の加点２０６および減点２０７はその点数が同一であってもよく、異なっていてもよい。評価値は、後述するように、次回の撮影の際に評価され、システム制御部５０はユーザーの好みを反映した画像処理効果を選択する。
【００５７】
＜クリエイティブモード処理＞
図３は、図１に示すカメラで行われるクリエイティブモード処理を説明するためのフローチャートである。なお、図示の処理は、不揮発性メモリ５６に記録されたプログラムを、システムメモリ５２に展開してシステム制御部５０が実行することによって行われる。
【００５８】
モード切替スイッチ６０の操作によって撮影モードがクリエイティブモードに切り替えられると、システム制御部５０はクリエイティブモード処理を開始する。ます、システム制御部５０は、記録媒体２００からお気に入り効果リスト２０１をメモリ３２に読み出す（ステップＳ３０１）。なお、お気に入り効果リストが既にメモリ３２に読み出し済みであれば、この処理は省略される。
【００５９】
続いて、システム制御部５０は、撮像部２２で撮影された画像をほぼリアルタイムで画像表示部２８に表示するスルー画像表示（ライブビュー）を行う（ステップＳ３０２）。そして、システム制御部５０は、シャッター操作部６１が半押しされて第１のシャッタースイッチ信号ＳＷ１がオンとなったか否かを判定する（ステップＳ３０３）。ＳＷ１がオフであると（ステップＳ３０３において、ＮＯ）、システム制御部５０は、操作部７０に備えられたＭｅｎｕボタンが押下されたか否かを判定する（ステップＳ３０４）。
【００６０】
なお、タッチシャッターが有効となっている場合には、タッチパネル７１においてスルー画像に対するタッチダウンがあるとＳＷ１はオンとなる。また、以下の説明では、Ｍｅｎｕボタンはハードウェアボタンとして説明するが、タッチパネル７１に表示されるソフトキーであってもよい。
【００６１】
Ｍｅｎｕボタンが押下されると（ステップＳ３０４において、ＹＥＳ）、システム制御部５０は画像表示部２８にＭｅｎｕ画面を表示する（ステップＳ３０５）。このＭｅｎｕ画面は、機能メニュー（Ｆｕｎｃメニュー）とは異なるメニュー項目よりなる設定メニューである。Ｍｅｎｕ画面には、ＡＦの設定項目、顔検出を行うか否かの設定項目、タッチシャッターを有効とするか否かの設定項目、およびレックレビュータイマーの設定項目などが含まれる。
【００６２】
レックレビュータイマーの設定項目においては、レックレビューなし（レビュー時間０秒）、レビュー時間０．５秒、レビュー時間２秒、レビュー時間１０秒、およびホールドのいずれかを設定することができる。
【００６３】
なお、ホールドとは時間に応じて自動的に終了させることはしない設定をいう。システム制御部５０は、Ｍｅｎｕ画面を表示している状態で受け付けたユーザー操作に応じて各種設定を行う。そして、システム制御部５０は設定された内容および設定値を不揮発性メモリ５６に記憶する。
【００６４】
続いて、システム制御部５０はモード切替スイッチ６０の操作による他モードの移行指示又は電源オフとする指示などのクリエイティブモードを終了させるイベントである終了処理の指示があったか否かを判定する（ステップＳ３０６）。クリエイティブモードを終了させるイベントがあると（ステップＳ３０６において、ＹＥＳ）、システム制御部５０はクリエイティブモード処理を終了する。
【００６５】
一方、クリエイティブモードを終了させるイベントがないと（ステップＳ３０６において、ＮＯ）、システム制御部５０はステップＳ３０２の処理に戻る。なお、Ｍｅｎｕボタンが押下げられないと（ステップＳ３０４において、ＮＯ）、システム制御部５０はステップＳ３０６の処理に進む。
【００６６】
一方、ＳＷ１がオンとなると（ステップＳ３０３において、ＹＥＳ）、システム制御部５０はＡＦおよびＡＥなどの撮影準備処理を行う（ステップＳ３０７）。そして、システム制御部５０はシャッター操作部６１の全押し操作などによって第２のシャッタースイッチ信号ＳＷ２がオンとなったか否かを判定する（ステップＳ３０８）。ＳＷ２がオフであると（ステップＳ３０８において、ＮＯ）、システム制御部５０はＳＷ１がオンの状態であるか否かを判定する（ステップＳ３０９）。
【００６７】
なお、タッチシャッターが有効となっている場合は、ＳＷ１をオンとするトリガーとなったタッチダウンから継続してタッチアップが行われるとＳＷ２はオンとなるものとする。
【００６８】
ＳＷ１がオンの状態であると（ステップＳ３０９において、ＹＥＳ）、システム制御部５０はステップＳ３０８の処理に戻る。一方、ＳＷ１がオフであると（ステップＳ３０９において、ＮＯ）、システム制御部５０はステップＳ３０４の処理に進む。
【００６９】
ＳＷ２がオンとなると（ステップＳ３０８において、ＹＥＳ）、システム制御部５０は撮像部２２で得られるスルー画像から現在撮影している被写体を解析する（ステップＳ３１０）。
【００７０】
例えば、システム制御部５０は検出された顔又はモノなどの被写体が静止しているか否かについて解析する。さらに、システム制御部５０は主被写体とその他の被写体との間に所定の距離が存在するか、逆光シーンであるか、そして、被写体に動きがあるか否かなどを解析する。
【００７１】
続いて、システム制御部５０は、後述するシングルショット画像処理を行って、画像解析および画像処理効果を付加する。そして、システム制御部５０は、シングルショットモード処理が終了の後、ステップＳ３１１の処理で生成された画像を画像表示部２８にレックレビューとして表示する（ステップＳ３１３）。その後、システム制御部５０はステップＳ３０２の処理に戻る。
【００７２】
図４は、図３に示すシングルショット画像処理を説明するためのフローチャートである。図示の処理は、不揮発性メモリ５６に記録されたプログラムをシステムメモリ５２に展開してシステム制御部５０が実行することによって行われる。
【００７３】
シングルショット画像処理を開始すると、システム制御部５０は撮像によって得られたＲＡＷ画像を解析して被写体特徴量を抽出して画像を生成するための画像処理内容を決定する（ステップＳ４０１）。この際、システム制御部５０はＲＡＷ画像から得られた被写体特徴量に基づいてお気に入り効果リスト２０１を検索して画像処理効果２０４を抽出する。
【００７４】
この際には、システム制御部５０は所定の閾値以上の評価値２０５を有する画像処理効果２０４のみを抽出するようにしても良い。そして、複数の画像処理効果２０４が抽出された場合には、システム制御部５０は評価値２０５を比較して、その比較結果に応じて１つの画像処理効果２０４を選択する。
【００７５】
なお、システム制御部５０は最大の評価値を有する画像処理効果２０４を選択するようにしてもよく、所定の閾値以上の評価値２０５を有する画像処理効果２０４から無作為に選択するようにしてもよい。
【００７６】
例えば、画像解析によって撮影距離情報を被写体特徴量２０３として抽出したとする。この撮影距離が無限であった場合には、システム制御部５０はお気に入り効果リスト２０１から被写体特徴量２０３が『無限』の画像処理効果を抽出する。そして、システム制御部５０は被写体特徴量が無限である画像処理効果２０４のうち、最大の評価値２０５を有する油絵風を画像処理効果２０４として選択する。
【００７７】
続いて、システム制御部５０は、ステップＳ４０１で決定した画像処理をＲＡＷ画像に対して行い可視化画像（現像された画像）を生成する（ステップＳ４０２）。ステップＳ４０２で行われる画像処理には以下の処理のうちのいずれか又は組み合わせである。例えば、ステップＳ４０２で行われる画像処理においては、トリミング処理（アスペクト比変更処理を含む）、ぼかし処理、および色処理の少なくとも１つが行われる。
【００７８】
ぼかし処理には、主被写体と判定された被写体および画像中央部以外のエッジを和らげる処理（ジオラマ風など）が含まれる。色処理には、モノクロ画像にする処理および１色を残して他の色をモノクロにする処理（ワンポイントカラー）が含まれる。また、色処理には、セピアにする処理および画像周辺部を暗くする処理（トイカメラ風になる）などが含まれる。さらには、色処理には、暖色を強調する処理、寒色を強調する処理、彩度を淡くする処理、および彩度を高める処理などが含まれる。
【００７９】
ステップＳ４０２での画像処理が終了すると、システム制御部５０は画像を画像表示部２８にクイックレビューとして表示する（ステップＳ４０３）。そして、システム制御部５０は、ステップＳ４０２の処理で生成した画像を画像ファイルとして記録媒体２００に記録する（ステップＳ４０４）。その後、システム制御部５０はシングルショット画像処理を終了する。この際、システム制御部５０は解析の結果得られた被写体特徴量、画像処理内容、およびクリエイティブモードで撮影したことを示す撮影モード情報を画像ファイルに記録する。
【００８０】
＜再生モード＞
図５は、図１に示すカメラで行われる再生モード処理を説明するためのフローチャートである。図示の処理は、不揮発性メモリ５６に記録されたプログラムをシステムメモリ５２に展開してシステム制御部５０が実行することによって行われる。
【００８１】
モード切替スイッチ６０の操作によって再生モード（つまり、再生処理）が選択されるか又は操作部７０に備えられた再生ボタンが押下げられると、システム制御部５０は再生モード処理を開始する。まず、システム制御部５０は記憶媒体２００から最新の画像情報を取得する（ステップＳ５０１）。最新画像情報取得を総枚数計算および検索リスト作成よりも先に行うことによって、再生モードに入ると素早く画像表示を行うことができるというメリットがある。
【００８２】
続いて、システム制御部５０は最新の画像情報取得が正しく行われたか否かをチェックする。ここでは、システム制御部５０は画像が一枚も存在しない状態又はメディア不良によって画像情報が取得不可能な状態などをチェックする。以下の説明では、例えば、システム制御部５０は画像が存在するか否かをチェックする（ステップＳ５０２）。
【００８３】
画像が存在すると（ステップＳ５０２において、ＹＥＳ）、システム制御部５０は最新画像情報に基づいて記憶媒体２００から最新の画像を読み込む（ステップＳ５０４）。そして、システム制御部５０は、後述するようにして、読み込んだ最新画像の画像に係る撮影情報および属性情報などのファイル解析処理を行う（ステップＳ５０４）。
【００８４】
続いて、システム制御部５０は最新画像を画像表示部２８に表示する（ステップＳ５０５）。この際には、システム制御部５０は撮影情報および属性情報などを設定に応じて画像表示部２８に表示する。さらには、システム制御部５０はファイル解析結果に応じて、ファイルの一部が壊れているなど誤ったデータであることが分かると画像表示部２８にエラーを表示する。
【００８５】
次に、システム制御部５０は記憶媒体２００に記録された再生対象リストの作成を開始する。例えば、システム制御部５０は記録媒体２００に記録された画像の総枚数の算出を開始する（ステップＳ５０６）。なお、再生対象リストとは、例えば、ＤＣＦ規格に従った再生機器においてはＤＣＦルートディレクトリのディレクトリエントリを解析してその再生機器において再生可能な画像を予め取得し管理するリストをいう。
【００８６】
この処理は非同期で行われる結果、システム制御部５０はその完了を待つことなく次の処理に進むことができる。これによって、多数の画像が記憶媒体２００に記録された結果、再生対象リストの検索に時間が掛かる場合であっても画像の閲覧を可能にすることができる。
【００８７】
続いて、システム制御部５０は検索リストの作成を開始する（ステップＳ５０７）。検索リストとは、画像に付加された属性情報を予め取得して管理するリストをいう。予め検索リストを作成すれば属性毎の再生および消去などの処理を素早く行うことが可能となる。検索リスト作成処理も総枚数計算と同様にその完了を待つことなく、システム制御部５０は次の処理に進むことができる。
【００８８】
続いて、システム制御部５０はお気に入り効果リストの作成を開始する（ステップＳ５０８）。お気に入り効果リスト２０１とはクリエイティブモード又はマルチクリエイティブモードで撮影された画像に付加された画像処理効果のうちユーザーがお気に入りである効果を予め取得して管理するリストをいう。予めこのリストを作成すれば、お気に入り画像処理効果２０４の抽出処理を素早く行うことが可能となる。お気に入り効果リスト作成も総枚数計算同様にその完了を待つことなく、システム制御部５０は次の処理に進み、再生入力待ち状態となる。
【００８９】
画像が１枚も存在しないと（ステップＳ５０２において、ＮＯ）、システム制御部５０は、「画像がありません」などのメッセージを画像表示部２８に表示する（ステップＳ５１０）。そして、システム制御部５０は再生入力待ち状態となる。
【００９０】
図６Ａおよび図６Ｂは、図１に示すカメラで行われる再生入力待ち状態のなった際の処理（再生入力待ち処理）を説明するためのフローチャートである。図示の処理は、不揮発性メモリ５６に記録されたプログラムをシステムメモリ５２に展開してシステム制御部５０が実行することによって行われる。
【００９１】
再生入力待ち受け状態となると、システム制御部５０は入力があるか否かをチェックする（ステップＳ６０１）。この入力とは、例えば、ユーザーによるボタンおよび電池の蓋に対する操作、電源の低下などのイベント、起動時に開始された検索リスト処理の完了通知、そして、お気に入り効果リスト処理の完了通知などがある。
【００９２】
入力がないと（ステップＳ６０１において、ＮＯ）、システム制御部５０は待機する。一方、入力があると（ステップＳ６０１において、ＹＥＳ）、システム制御部５０は当該入力が画像送りボタンの操作があるか否かを判定する（ステップＳ６０２）。入力が画像送りボタンの操作であると（ステップＳ６０２において、ＹＥＳ）、システム制御部５０は次の表示すべき画像を読み込む（ステップＳ６０３）。なお、画像送りボタンは進み方向および戻り方向を備え、その方向によって次の表示画像が変化する。
【００９３】
続いて、システム制御部５０は読み込んだ画像に対して撮影情報および属性情報などのファイル解析処理を行う（ステップＳ６０４）。そして、システム制御部５０は読み込んだ画像を画像表示部２８に表示する。この際には、システム制御部５０は撮影情報および属性情報などを設定に応じて画像表示部２８に表示する。さらには、システム制御部５０はファイル解析結果に応じて、ファイルの一部が壊れているなど誤ったデータであると分かるとエラーを画像表示部２８に表示する。その後、システム制御部５０はステップＳ６０１の処理に戻る。
【００９４】
入力が画像送りボタンの操作でないと（ステップＳ６０２において、ＮＯ）、システム制御部５０は入力が終了ボタンの操作であるか否かを判定する（ステップＳ６０６）。入力が終了ボタンの操作であると（ステップＳ６０６において、ＹＥＳ）、システム制御部５０は検索リスト作成処理を終了する（ステップＳ６０７）。なお、検索リストが作成途中であると、システム制御部５０はその処理を中断し、既に作成が完了しているとその後何も行わない。
【００９５】
続いて、システム制御部５０はお気に入り効果リスト作成処理を終了する（ステップＳ６０８）。この処理においても、既に作成が完了していれば、システム制御部５０は何も行わない。そして、システム制御部５０は総画像枚数計算の終了処理を行う（ステップＳ６０９）。なお、システム制御部５０は総枚数計算が途中であるとその計算を中断し、既に完了していれば何も行わない。その後、システム制御部５０は再生モード処理を終了する。
【００９６】
入力が終了ボタンの操作でないと（ステップＳ６０６において、ＮＯ）、システム制御部５０は総画像枚数の計算が完了しているか否かをチェックする（ステップＳ６１０）。総画像枚数の計算が完了していないと（ステップＳ６１０において、ＮＯ）、システム制御部５０はステップＳ６０１の処理に戻る。この際には、システム制御部５０は、総画像枚数の計算が完了していない旨を伝えるメッセージの表示又はアイコン表示を行うようにしてもよい。
【００９７】
一方、総画像枚数の計算が完了していると（ステップＳ６１０において、ＹＥＳ）、システム制御部５０は検索リストの作成が完了しているか否かをチェックする（ステップＳ６１１）。検索リストの作成が完了していないと（ステップＳ６１１において、ＮＯ）、システム制御部５０はステップＳ６０１の処理に戻る。この際には、システム制御部５０は、検索リストの作成が完了していない旨を伝えるメッセージの表示又はアイコン表示を行うようにしてもよい。
【００９８】
検索リストの作成が完了していると（ステップＳ６１１において、ＹＥＳ）、システム制御部５０はお気に入り効果リスト作成処理が完了しているか否かをチェックする（ステップＳ６１２）。お気に入り効果リスト作成処理が完了していないと（ステップＳ６１６において、ＮＯ）、システム制御部５０はステップＳ６０１の処理に戻る。お気に入り効果リスト作成処理が完了していると（ステップＳ６１６において、ＹＥＳ）、システム制御部５０は入力が消去ボタンの操作であるか否かを判定する（ステップＳ６１３）。
【００９９】
入力が消去ボタンの操作であると（ステップＳ６１３において、ＹＥＳ）、システム制御部５０は画像指定操作による消去ボタンの操作であるか否かを判定する（ステップＳ６１４）。なお、画像指定操作とは、画像表示部２８に表示中の画像に対して１枚毎に指定を行う操作をいう。
【０１００】
画像指定操作であると（ステップＳ６１４において、ＹＥＳ）、システム制御部５０は、後述するお気に入り効果リスト減点更新処理を行う（ステップＳ６１５）。そして、システム制御部５０は画像を消去する（ステップＳ６１６）。一方、画像指定操作であると（ステップＳ６１４において、ＹＥＳ）、システム制御部５０はステップＳ６１６の処理に進む。なお、ステップＳ６１６の消去処理においては、システム制御部５０は画像ファイルを消去する。
【０１０１】
続いて、システム制御部５０は、消去後の総画像枚数をチェックして、総画像枚数＝０であるか否かを判定する（ステップＳ６１７）。総画像枚数＝０であると（ステップＳ６１７において、ＹＥＳ）、システム制御部５０は画像なしを表示して（ステップＳ６１８）、ステップＳ６０１の処理に戻る。ステップＳ６１８においては、例えば、システム制御部５０は「画像がありません」などのメッセージを画像表示部２８に表示する。
【０１０２】
総画像枚数＝０でないと（ステップＳ６１７において、ＮＯ）、システム制御部５０は次の画像を記録媒体２００から読み込む（ステップＳ６１９）。この画像はファイル番号に応じて消去された画像の次のファイル番号の画像である。なお、最新画像が消去された場合には、消去された画像よりひとつ前の画像が次の画像となる。
【０１０３】
続いて、システム制御部５０は、読み込んだ画像について撮影情報および属性情報などのファイル解析処理を行う（ステップＳ６２０）。そして、システム制御部５０は当該読み込んだ画像を画像表示部２８に表示する（ステップＳ６２１）。この際には、システム制御部５０は撮影情報および属性情報などを設定に応じて画像表示部２８に表示する。また、システム制御部５０はファイル解析結果に応じて、ファイルの一部が壊れているなど誤ったデータであることが分かると、画像表示部２８にエラーを表示する。その後、システム制御部５０はステップＳ６０１の処理に戻る。
【０１０４】
入力が消去ボタンの操作でないと（ステップＳ６１３において、ＮＯ）、システム制御部５０は入力が画像にお気に入りを付与するためのお気に入りボタンの操作であるか否かを判定する（ステップＳ６２２）。お気に入りボタンの操作であると（ステップＳ６２２において、ＹＥＳ）、システム制御部５０は画像指定操作によるお気に入りボタンの操作であるか否かを判定する（ステップＳ６２３）。
【０１０５】
画像指定操作であると（ステップＳ６２３において、ＹＥＳ）、システム制御部５０は、後述するお気に入り効果リスト加点更新処理を行う（ステップＳ６２４）。そして、システム制御部５０はお気に入り変更を行う（ステップＳ６２５）。なお、お気に入り変更とは画像ファイルの属性情報におけるお気に入り情報を変更することをいう。
【０１０６】
この際には、システム制御部５０はお気に入りを示す数値を変更してもよく、お気に入りの有無を変更するようにしてもよい。その後、システム制御部５０は画像を表示して（ステップＳ６２６）、ステップＳ６０１の処理に戻る。
【０１０７】
画像指定操作でないと（ステップＳ６２３において、ＮＯ）、システム制御部５０はステップＳ６２５の処理に進む。
【０１０８】
お気に入りボタンの操作でないと（ステップＳ６２２において、ＮＯ）、システム制御部５０は入力が画像を転送するための画像転送ボタンの操作であるか否かを判定する（ステップＳ６２７）。画像転送ボタンの操作であると（ステップＳ６２７において、ＹＥＳ）、システム制御部５０は画像指定操作による画像転送ボタンの操作であるか否かを判定する（ステップＳ６２８）。
【０１０９】
画像指定操作であると（ステップＳ６２８において、ＹＥＳ）、システム制御部５０は、後述するお気に入り効果リスト加点更新処理を行う（ステップＳ６２９）。そして、システム制御部５０は当該画像を転送する転送処理を行う（ステップＳ６２８）。画像転送処理とはカメラ１００から他の機器への画像転送である。この際には、無線で他の機器に画像を送信するようにしてもよく、有線ケーブルで画像を他の機器に画像を送信するようにしてもよい。
【０１１０】
なお、図１に示すカメラ１００においては、画像を転送するための通信部は省略されている。その後、システム制御部５０はステップＳ６０１の処理に戻る。
【０１１１】
画像指定操作でないと（ステップＳ６２８において、ＮＯ）、システム制御部５０はステップＳ６３０の処理に進む。
【０１１２】
画像転送ボタンの操作でないと（ステップＳ６２７において、ＮＯ）、システム制御部５０はその入力に応じた処理を行う（ステップＳ６３１）。例えば、システム制御部５０は、マルチ再生への切り替え又はメニューボタンによるメニュー表示などを行う。そして、システム制御部５０はステップＳ６０１の処理に戻る。
【０１１３】
＜お気に入り効果リスト加点処理＞
図７は、図６Ｂに示すお気に入り効果リスト加点更新処理を説明するためのフローチャートである。
【０１１４】
お気に入り効果リスト加点更新処理を開始すると、システム制御部５０はメモリ３２に加点更新処理の対象である対象画像を読み込む（ステップＳ７０１）。そして、システム制御部５０は読み込んだ画像のファイル解析を行う（ステップＳ７０２）。その後、システム制御部５０はファイル解析結果に基づいて読み込んだ画像の撮影モードを取得する。システム制御部５０は当該撮影モードが対象とする撮影モードであるか否かを判定する（ステップＳ７０３）。
【０１１５】
なお、対象の撮影モードとは、例えば、カメラ１００が自動的に撮影方法を変更する撮影モードであり、ここでは、クリエイティブモード又はマルチクリエイティブモードをいう。
【０１１６】
対象の撮影モードであると（ステップＳ７０３において、ＹＥＳ）、システム制御部５０は、ステップＳ７０２で得られたファイル解析結果に基づいて画像処理効果を読み出す（ステップＳ７０４）。なお、当該画像処理効果はステップＳ４０２で得られた画像処理結果をいう。
【０１１７】
続いて、システム制御部５０は、ステップＳ７０２で得られたファイル解析結果に基づいて被写体特徴量を取得する（ステップＳ７０５）。なお、当該被写体特徴量はステップＳ４０１で得られた被写体特徴量をいう。そして、システム制御部５０は、記録媒体２００からお気に入り効果リストをメモリ３２に読み出す（ステップＳ７０６）。その後、システム制御部５０は、前述の画像処理結果および被写体特徴量がお気に入り効果リストに既に存在しているか否かを判定する（ステップＳ７０７）。
【０１１８】
お気に入り効果リストに画像処理結果および被写体特徴量が存在しないと（ステップＳ７０７において、ＮＯ）、システム制御部５０は該当する項目をお気に入り効果リストに追加する（ステップＳ７０８）。そして、システム制御部５０は該当する項目のお気に入り効果の評価値をインクリメントする（ステップＳ７０９）。
【０１１９】
一方、お気に入り効果リストに画像処理結果および被写体特徴量が存在すると（Ｓ７０７において、ＹＥＳ）、システム制御部５０はステップＳ７０９の処理に進む。
【０１２０】
続いて、システム制御部５０は対象となる全ての画像についてお気に入り効果の評価値を更新したか否かを判定する（ステップＳ７１０）。全の画像についてお気に入り効果の評価値の更新が完了していないと（ステップＳ７１０において、ＮＯ）、システム制御部５０はステップＳ７０１の処理に戻る。一方、全の画像についてお気に入り効果の評価値の更新が完了すると（ステップＳ７１０において、ＹＥＳ）、システム制御部５０はリスト加点処理を終了する。
【０１２１】
なお、対象の撮影モードでないと（ステップＳ７０３において、ＮＯ）、システム制御部５０はステップＳ７１０の処理に進む。
【０１２２】
＜お気に入り効果リスト減点処理＞
図８は、図６Ｂに示すお気に入り効果リスト減点処理を説明するためのフローチャートである。
【０１２３】
図８において、ステップＳ８０１〜Ｓ８０６までの処理は、図７に示すステップＳ７０１〜Ｓ７０６の処理と同様であるので、ここでは説明を省略する。
【０１２４】
ステップＳ８０６の処理の後、システム制御部５０は、画像処理および被写体特徴量がお気に入り効果リストに既に存在しているか否かを判定する（ステップＳ８０７）。お気に入り効果リストに画像処理および被写体特徴量が存在すると（ステップＳ８０７において、ＹＥＳ）、システム制御部５０は該当する項目のお気に入り効果の評価値をデクリメントする（ステップＳ８０８）。なお、デクリメントの際には、前述のインクリメントを行う際の加点数と同一の数値を減点するようにしてもよく、異ならせてもよい。
【０１２５】
続いて、システム制御部５０は対象となる全ての画像についてお気に入り効果の評価値を更新したか否かを判定する（ステップＳ８０９）。全の画像についてお気に入り効果の評価値の更新が完了していないと（ステップＳ８０９において、ＮＯ）、システム制御部５０はステップＳ８０１の処理に戻る。一方、全の画像についてお気に入り効果の評価値の更新が完了すると（ステップＳ８０９において、ＹＥＳ）、システム制御部５０はリスト減点処理を終了する。なお、対象の撮影モードでないと（ステップＳ８０３において、ＮＯ）、システム制御部５０はステップＳ８０９の処理に進む。
【０１２６】
このように、本発明の第１の実施形態では、クリエイティブモードで得られた画像について特定の処理（例えば、お気に入りの付与又は画像転送）を行ったか否かを判定する。そして、特定の処理が行われると、撮影の際に用いた画像処理がユーザーにお気に入りであると判定する。
【０１２７】
一方、画像を削除する場合には、当該画像に係る画像処理がユーザーにお気に入りでないと判定する。これによって、クリエイティブモードによって次回の撮影を行う際にユーザーの好みに適した画像を撮影することができる。
【０１２８】
［第２の実施形態］
続いて、本発明の第２の実施形態によるカメラの一例について説明する。なお、第２の実施形態によるカメラの構成は図１に示すカメラと同様であるので、ここでは説明を省略する。
【０１２９】
＜クリエイティブモード処理＞
図９は、本発明の第２の実施形態によるカメラで行われるマルチクリエイティブモード処理を説明するためのフローチャートである。なお、図示のフローチャートにおいて、図３に示すフローチャートのステップと同一のステップについては同一の参照符号を付して説明を省略する。
【０１３０】
いま、モード切替スイッチ６０の操作によってマルチクリエイティブモードが設定されると、システム制御部５０は前述のようにして、ステップＳ３０１〜Ｓ３１０の処理を行う。ステップＳ３１０の処理の後、システム制御部５０は被写体の解析結果に基づいて露出ブラケット撮影を行うか否かを判定する（ステップＳ９１１）。なお、露出ブラケット撮影とはシャッター速度と絞りとの組み合わせによる露出設定を、自動的に少しずつ変えて複数枚の画像を撮影する手法である。
【０１３１】
図示の例では、ステップＳ３１０における被写体解析結果が逆光シーンであると、システム制御部５０は露出ブラケットを行うと判定する。一方、ステップＳ３１０における被写体解析結果において被写体が静止し、かつ被写体が互いに距離をおいて存在したとする。この場合、システム制御部５０は露出ブラケット撮影ではなく、フォーカスブラケット撮影を行うと判定する。
【０１３２】
露出ブラケット撮影を行う場合（ステップＳ９１１において、ＹＥＳ）、システム制御部５０は露出ブラケット撮影を実行する（ステップＳ９１２）。ここでは、システム制御部５０は露出値を通常値（適正値）、アンダー寄り（暗め）、およびオーバー寄り（明るめ）に設定して３回の連続撮影（連写）を行う。これによって、システム制御部５０は３枚のＲＡＷ画像を得る。
【０１３３】
露出ブラケット撮影を行わない場合（ステップＳ９１１において、ＮＯ）、システム制御部５０はフォーカスブラケット撮影を実行する（ステップＳ９１３）。フォーカスブラケット撮影においては、システム制御部５０はフォーカス位置（ピント位置）を異ならせる。例えば、システム制御部５０はフォーカス位置を合焦位置、合焦位置から手前側、そして、合焦位置から奥側にずらして３回の連続撮影（連写）を行う。これによって、システム制御部５０は３枚のＲＡＷ画像（デモザイク処理を含む現像処理をする前のデータ）を得る。
【０１３４】
ステップＳ９１２又はＳ９１３の処理の後、システム制御部５０は、後述するようにしてマルチショット撮影処理を行って、画像解析処理結果および画像処理効果を画像に付ける（ステップＳ９１４）。そして、システム制御部５０は、ステップＳ３１３において、ステップＳ９１４の処理で得られた画像を表示部２８にレックレビュー表示する。その後、システム制御部５０はステップＳ３０２の処理に戻る。
【０１３５】
図１０は、図９に示すマルチショット撮影処理を説明するためのフローチャートである。
【０１３６】
マルチショット撮影処理（マルチショットモード処理ともいう）を開始すると、システム制御部５０は、生成された画像の数をカウントするためシステムメモリ５２に記録された変数ｉに初期値である１をセットする（ステップＳ１００１）。そして、システム制御部５０は、撮像されたＲＡＷ画像を解析して被写体特徴量を抽出する（ステップＳ１００２）。その後、システム制御部５０はｉ番目の画像として生成すべき画像を得るための画像処理を決定する。
【０１３７】
この際、システム制御部５０は撮影されたＲＡＷ画像から得られた被写体特徴量に基づいてお気に入り効果リスト２０１を検索して画像処理効果２０４を抽出する。なお、特別な画像処理を施していない通常画像を１枚は生成するように、システム制御部５０はｉ＝１の場合には特別な画像処理を行わないと決定する。なお、ここでは、通常画像の生成に必要な処理は行われる。また、一回の撮影指示に応じて生成される６枚の画像に同様の画像が含まれないように、システム制御部５０は変数ｉ毎に異なる画像処理条件となるようにする。
【０１３８】
続いて、システム制御部５０は、変数ｉ＝６であるか否かを判定する（ステップＳ１００３）。変数ｉ＝６でないと（ステップＳ１００３において、ＮＯ）、システム制御部５０は、ステップＳ１００２で決定した画像処理を３枚のＲＡＷ画像のいずれかに施して可視化画像（現像された画像）を生成する（ステップＳ１００４）。ステップＳ１００４の処理で行われる画像処理には次のいずれかの処理又はその組み合わせである。
【０１３９】
例えば、ステップＳ１００４で行われる画像処理には、トリミング処理（アスペクト比変更処理を含む）、ぼかし処理、および色処理がある。そして、ぼかし処理には、主被写体と判定された被写体および画像中央部以外のエッジを和らげる処理（ジオラマ風など）が含まれる。また、色処理には、モノクロ画像にする処理、１色を残して他の色をモノクロにする処理（ワンポイントカラー）、セピアにする処理、および画像周辺部を暗くする処理（トイカメラ風になる）などが含まれる。さらには、色処理には、暖色を強調する処理、寒色を強調する処理、彩度を淡くする処理、および彩度を高める処理などが含まれる。
【０１４０】
なお、変数ｉ＝１の場合には、露出ブラケット撮影であれば、システム制御部５０は３枚のＲＡＷ画像のうち適正露出（通常露出）で撮影された画像から可視化画像を生成する。フォーカスブラケット撮影であれば、システム制御部５０はフォーカス位置を合焦位置として撮影された画像から可視化画像を生成する。
【０１４１】
変数ｉ＝６である場合には（ステップＳ１００３において、ＹＥＳ）、システム制御部５０は、撮像されたＲＡＷ画像を解析して被写体特徴量を抽出する。そして、システム制御部５０は生成すべき画像を生成するための画像処理を決定する（ステップＳ１００５）。この際、システム制御部５０はＲＡＷ画像から得られた被写体特徴量に基づいてお気に入り効果リスト２０１を検索して画像処理効果２０４を抽出する。
【０１４２】
ステップＳ１００４又はＳ１００５の処理の後、システム制御部５０は画像処理で生成された画像を画像表示部２８にクイックレビューとして表示する（ステップＳ１００６）。なお、クイックレビューの際には、システム制御部５０は画像を１枚ずつ画像表示部２８に表示する。
【０１４３】
続いて、システム制御部５０は、ステップＳ１００４又はＳ１００５で生成された画像を画像ファイルとして記録媒体２００に記録する（ステップＳ１００７）。なお、１回の撮影指示に応じて生成された６枚の画像の画像ファイルには、属性情報として同一の撮影指示に応じて撮影された同一グループに属する画像であることを示す識別子が付与される。例えば、画像ファイルのヘッダ情報に、同一グル―プの画像について同一のグループ識別子が記録される。このグループ識別子によって、互いに関連する画像であることを識別することができる。
【０１４４】
次に、システム制御部５０は、変数ｉ＝６であるか否かを判定する（ステップＳ１００８）。つまり、システム制御部５０は６枚の画像（グループ内の全画像）を生成したか否かを判定することになる。変数ｉ＝６であると（ステップＳ１００８において、ＹＥＳ）、システム制御部５０はマルチショットモード処理を終了する。一方、変数ｉ＝６でないと（ステップＳ１００８において、ＮＯ）、システム制御部５０は変数を１インクリメントして（ステップＳ１００９）、ステップＳ１００２の処理に戻る。
【０１４５】
このようにして、変数ｉ＝６となるまで画像処理を繰り返すことによって、ステップＳ１００６においては、生成された画像が１枚ずつ順次表示されることになる。
【０１４６】
このように、本発明の第２の実施形態では、マルチクリエイティブモードで得られた画像について特定の処理（例えば、お気に入りの付与又は画像転送）を行ったか否かを判定する。そして、特定の処理が行われると、撮影の際に用いた画像処理がユーザーにお気に入りであると判定する。一方、画像を削除する場合には、当該画像に係る画像処理がユーザーにお気に入りでないと判定する。これによって、マルチクリエイティブモードによって次回の撮影を行う際にマルチクリエイティブモードの特色を活かしてユーザーの好みに適した画像を撮影することができる。
【０１４７】
［第３の実施形態］
続いて、本発明の第３の実施形態によるカメラの一例について説明する。なお、第２の実施形態によるカメラの構成は図１に示すカメラと同様であるので、ここでは説明を省略する。
【０１４８】
＜お気に入り効果リスト＞
図１１は、本発明の第３の実施形態で用いられるお気に入り効果リストの一例を示す図である。
【０１４９】
図示のお気に入り効果リスト３０１は、各項目の要素数を示すＩｎｄｅｘ（Ｎｏ．）３０２、被写体特徴量３０３、画像処理効果３０４、および評価値３０５を有している。さらに、評価値３０５はお気に入り度３０６と除外度３０７とを備えている。被写体特徴量３０２には、撮影の際の被写体の特徴量を示す属性情報が記録されるが、他の被写体特徴を示す情報を記録するようにしてもよい。画像処理効果３０４には、撮影の結果得られた画像に用いた画像処理効果が記録される。評価値３０５には、Ｉｎｄｅｘ３０２が示す項目の画像処理効果に対するユーザーの評価が記録される。
【０１５０】
被写体特徴量２０３と画像処理効果２０４とに一致する画像に対してユーザーがお気に入り球は画像転送操作を行うと、システム制御部５０はお気に入り度３０６を加点する。また、ユーザーが削除操作を行うと、システム制御部５０は除外度３０７を減点する。なお、加点と減点とは同一の数であってもよく、異ならせてもよい。また、評価値は次回の撮影の埼栄の際に用いられる。
【０１５１】
図１２は、本発明の第３の実施形態によるカメラで行われるマルチショットモード処理を説明するためのフローチャートである。
【０１５２】
なお、第３の実施形態によるカメラで行われるマルチクリエイティブモード処理は、図９に示す処理と同様である。また、図１２において、図１０に示すフローチャートのステップと同一のステップについては同一の参照符号を付して説明を省略する。
【０１５３】
ステップＳ１００３において、変数ｉ＝６であると（ステップＳ１００３において、ＹＥＳ）、システム制御部５０は、ステップＳ１００２において画像処理を、３枚のＲＡＷ画像のいずれかに施して可視化画像を生成する（ステップＳ１２０４）。そして、システム制御部５０は、お気に入り効果リスト３０１を検索して除外度３０７を抽出する。システム制御部５０は所定の数値以上の除外度３０７である項目を抽出する。その後、システム制御部５０は当該項目の被写体特徴量３０３および画像処理効果３０４をメモリ３２に記憶する。
【０１５４】
なお、お気に入り効果リスト３０１のＩｎｄｅｘ３０２を記憶するようにしてもよく、さらには双方を記憶するようにしてもよい。また、所定の数値以上の除外度３０７である項目の全てについて記憶するようにしてもよく、除外度３０７の高い順から所定の数だけ記憶するようにしてもよい。
【０１５５】
システム制御部５０は次の画像処理のうちいずれかの処理又はそれらを組み合わせて画像処理を行う。例えば、システム制御部５０はトリミング処理（アスペクト比変更処理を含む）、ぼかし処理、および色処理の少なくとも１つの処理を行う。
【０１５６】
ぼかし処理には、主被写体と判定される被写体および画像中央部以外のエッジを和らげる処理（ジオラマ風など）が含まれる。色処理には、モノクロ画像にする処理、１色を残して他の色をモノクロにする処理、セピアにする処理、および画像周辺部を暗くする処理などが含まれる。また、色処理には、暖色を強調する処理、寒色を強調する処理、彩度を淡くする処理、および彩度を高める処理などが含まれる。
【０１５７】
ここで、システム制御部５０は除外度３０７が高い項目としてメモリ３２に記憶された被写体特徴量３０３と画像処理効果３０４の組み合わせと一致しないようにする。つまり、システム制御部５０はステップＳ１００２の処理で得た被写体特徴量と組み合わせとなる画像処理効果を選択する。なお、アルゴリズム上他の候補がない場合には、除外度３０７が高い項目としてメモリ３２に記録された被写体特徴量３０３と画像処理効果３０４の組み合わせを用いるようにしてもよい。
【０１５８】
なお、変数ｉ＝１の場合には、露出ブラケット撮影であれば、システム制御部５０は３枚のＲＡＷ画像のうち適正露出で撮影された画像から可視化画像を生成する。一方、フォーカスブラケット撮影であれば、システム制御部５０はフォーカス位置を合焦位置として撮影された画像から可視化画像を生成する。
【０１５９】
図１３は、本発明の第３の実施形態によるカメラで行われるお気に入り効果リスト減点処理を説明するためのフローチャートである。なお、図示のフローチャートにおいて、図８に示すフローチャートのステップと同一のステップについては同一の参照符号を付して説明を省略する。
【０１６０】
お気に入り効果リストに画像処理および被写体特徴量が存在すると（ステップＳ８０７において、ＹＥＳ）、システム制御部５０は除外する画像処理効果３０４をお気に入り効果リスト３０１に追加する（ステップＳ１３０８）。そして、システム制御部５０は該当する項目の画像処理効果３０４について除外度をインクリメントして（ステップＳ１３０９）、ステップＳ８０９の処理に進む。一方、お気に入り効果リストに画像処理および被写体特徴量が存在しないと（ステップＳ８０７において、ＮＯＳ）、システム制御部５０はステップＳ１３０９の処理に進む。
【０１６１】
このように、本発明の第２の実施形態では、マルチクリエイティブモードで得られた画像について特定の処理（例えば、お気に入りの付与又は画像転送）を行ったか否かを判定する。そして、特定の処理が行われると、撮影の際に用いた画像処理がユーザーにお気に入りであると判定する。一方、画像を削除する場合には、当該画像に係る画像処理がユーザーにお気に入りでないと判定する。これによって、マルチクリエイティブモードによって次回の撮影を行う際にユーザーの好みに適した画像を撮影することができる。
【０１６２】
なお、上述の実施の形態では、お気に入り付与又は画像転送の際に当該画像に用いた画像処理をお気に入りとする例について説明した。一方、画像編集の実施（編集操作）又は画像拡大の実施などによって当該画像をお気に入りとするようにしてもよい。さらには、当該画像の再生時間又は再生回数に応じてその画像をお気に入りとするようにしてもよい。
【０１６３】
上述の説明から明らかなように、図１に示す例では、システム制御部５０が評価手段として機能し、システム制御部５０および画像処理部２４が画像処理手段および制御手段として機能する。
【０１６４】
以上、本発明について実施の形態に基づいて説明したが、本発明は、これらの実施の形態に限定されるものではなく、この発明の要旨を逸脱しない範囲の様々な形態も本発明に含まれる。
【０１６５】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【０１６６】
［その他の実施形態］
上述の実施形態の１以上の機能を実現するプログラムをネットワーク又は記憶媒体を介してシステム又は装置に供給する。そして、そのシステム又は装置のコンピュータにおける１つ以上のプロセッサーがプログラムを読出し実行する処理でも本発明は実現可能である。また、１以上の機能を実現する回路（例えば、ＡＳＩＣ）によっても実現可能である。
【符号の説明】
【０１６７】
２２  撮像部
２４  画像処理部
２８  画像表示部
３２  メモリ
５０  システム制御部
６０  モード切替スイッチ
６１  シャッター操作部
７０  操作部
７１  タッチパネル
２００  記録媒体
【図１】
2017192020.tif 000003
【図２】
2017192020.tif 000004
【図３】
2017192020.tif 000005
【図４】
2017192020.tif 000006
【図５】
2017192020.tif 000007
【図６Ａ】
2017192020.tif 000008
【図６Ｂ】
2017192020.tif 000009
【図７】
2017192020.tif 000010
【図８】
2017192020.tif 000011
【図９】
2017192020.tif 000012
【図１０】
2017192020.tif 000013
【図１１】
2017192020.tif 000014
【図１２】
2017192020.tif 000015
【図１３】
2017192020.tif 000016